(57)【要約】本発明は、乗客が行先階呼びをエレベータに入力すると乗場およびエレベータカー内で乗客に情報を与える階数ディスプレイ（１、２）に関するものである。【選択図】図２
2005500227.tif 000002
【特許請求の範囲】
【請求項１】
乗客が行先階呼びをエレベータに入力すると乗場およびエレベータカー内で乗客に情報を与える階数ディスプレイ（１、２、３）において、該階数ディスプレイ（１、２、３）は、乗客の出発階とエレベータカー内とでそれぞれ異なる方法により乗客に対して各行先階を表示することを特徴とする階数ディスプレイ。
【請求項２】
請求項１に記載の階数ディスプレイにおいて、前記階数ディスプレイ（１）は、前記出発階から入力された行先階呼びであって前記出発階から走行を継続する前記エレベータに割り当てられた行先階呼びを表示することを特徴とする階数ディスプレイ。
【請求項３】
請求項１に記載の階数ディスプレイにおいて、エレベータカー内の前記階数ディスプレイ（２）は、エレベータドアが開いている間は、エレベータカー外の乗場にいてエレベータカーに乗り込もうとしている乗客に対して、乗客の出発階にある前記階数ディスプレイ（１）に示されるのと同じ情報を表示することを特徴とする階数ディスプレイ。
【請求項４】
請求項１に記載の階数ディスプレイにおいて、エレベータカー内の前記階数ディスプレイ（３）は、前記エレベータに割り当てられた行先階呼びを乗客に表示することを特徴とする階数ディスプレイ。
【請求項５】
請求項４に記載の階数ディスプレイにおいて、エレベータカー内の前記階数ディスプレイ（３）は、乗客を迎えに行く必要のある停止階と、行先階として入力された停止階とを表示することを特徴とする階数ディスプレイ。
【請求項６】
請求項３に記載の階数ディスプレイにおいて、各停止階に停止した後、エレベータカー内に設置されエレベータロビーから階数を見ることができる前記階数ディスプレイ（２）は、該ディスプレイ上の行先階を更新することを特徴とする階数ディスプレイ。
【請求項７】
請求項３ないし６のいずれかに記載の階数ディスプレイにおいて、エレベータカー内に設置された前記階数ディスプレイ（２、３）は、２画面式ディスプレイであることを特徴とする階数ディスプレイ。
【請求項８】
請求項１ないし７のいずれかに記載の階数ディスプレイにおいて、該階数ディスプレイ（１、２、３）は、走行方向を表示する矢印（４）も有することを特徴とする階数ディスプレイ。
【発明の詳細な説明】
【詳細な説明】
【０００１】
本発明は、請求項１の前段に記載の、乗場およびエレベータカー内で乗客に情報を与える階数ディスプレイに関するものである。
【０００２】
行先階呼びを表示する階数ディスプレイ方式における一般的な問題点は、出発階およびエレベータカー内において、入力された行先階呼びについての十分に役立つ情報を乗客が階数ディスプレイから得られないことである。そのため、いつエレベータカーを降りればよいかを乗客は決められず、行先階を乗り越してしまう場合もあり得る。一方、乗客が出発階で既にエレベータを誤って選択する場合もある。
【０００３】
本発明は、上述の従来技術方式における問題点を解消することを目的とする。
【０００４】
本発明によれば、乗客が行先階呼びをエレベータに入力すると乗客に情報を与える階数ディスプレイは、乗客の出発階とエレベータカー内とでそれぞれ異なる方法により乗客に対して各行先階を表示する。
【０００５】
より正確に言えば、本発明による、乗場およびエレベータカーで乗客に情報を与える階数ディスプレイは、請求項１の特徴段の記載事項を特徴とする。本発明の一定の好ましい実施例の構成要件は、従属請求項に記載する。
【０００６】
乗場およびエレベータカー内の両方で乗客に可能な限り情報を与える、本発明による階数ディスプレイは、従来技術に比較して重要な利点を有する。
【０００７】
望ましい場合、本発明による階数ディスプレイが表示すべき呼びの数は少なくて済む。したがって乗客は、階数ディスプレイに示されている他の呼びのなかから、自分自身の行先階を容易に識別可能となる。本発明による階数ディスプレイは、エレベータロビーでエレベータを待っている乗客および既にエレベータカー内にいる乗客の両者の便宜を可能な限り図るものである。
【０００８】
以下、本発明を添付図面を参照しながら詳細に説明する。
【０００９】
本発明は、乗客が行先階呼びをエレベータに入力すると乗場およびエレベータカー内で乗客に情報を与える階数ディスプレイ１、２に関するものである。本発明の最も望ましい実施例によれば、上記階数ディスプレイ１、２、３は、乗客の出発階とエレベータカー内とでそれぞれ異なる方法により各行先階を表示する。
【００１０】
図1aは、本発明による乗客の出発階に設置した階数ディスプレイ１を示す。本発明の実施例によれば、乗客の出発階に設置した上記階数ディスプレイ１は、上記出発階から入力された行先階呼びであって上記出発階から走行を継続する上記エレベータに割り当てられたものを表示する。エレベータロビーに設置した階数ディスプレイ１は、走行方向を表示する矢印４も有する。
【００１１】
図1bは、本発明によるエレベータカー内の階数ディスプレイ２、３を示す。本発明によるエレベータカー内の階数ディスプレイ２は、エレベータドアが開いている間は、エレベータカー外の乗場にいてエレベータカーに乗り込もうとしている乗客に対して、乗客の出発階にある上記階数ディスプレイ１に示されるのと同じ情報を表示する。
【００１２】
本発明によれば、エレベータカー内の上記階数ディスプレイ３は、エレベータカー内では上記エレベータに割り当てられた行先階呼びを乗客に表示する。換言すれば、エレベータカー内の上記階数ディスプレイ３は、乗客を迎えに行く必要のある停止階と、行先階として入力された停止階とを表示するのに用いられる。上記階数ディスプレイ３には、当該エレベータカーに割り当てられたすべての行先階が、停止する順に表示される。したがって乗客は、次の行先階が何階であるか、および、エレベータがその乗客自身の行先階にはいつ到着するかということを容易に、かつ明確に知ることができる。
【００１３】
また、エレベータカー内に設置した階数ディスプレイ２、３は、走行方向を表示する矢印も有する。
【００１４】
本発明によれば、エレベータカー内に設置され乗客に行先階を示す階数ディスプレイ３は、当該ディスプレイに示される情報を、各停止階に応じて個別に変更する。したがって、各停止階に停止した後、このエレベータカー内に設置されロビーから階数を見ることができる上記階数ディスプレイ２は、そのディスプレイ上の行先階を更新する。換言すれば、エレベータカー内に設置されエレベータロビーから階数を見ることができる上記階数ディスプレイ２は、各停止階で表示される階数データを、当該停止階のエレベータロビーにある階数ディスプレイ１の表示内容に応じて、変更する。
【００１５】
図２は本発明による階数ディスプレイ１、２、３の、エレベータロビーおよびエレベータカー内における配置を示す。同図に示すように、本発明による乗客の出発階にある階数ディスプレイ１は、各エレベータのそばの上記階数ディスプレイ１が、当該エレベータに割り当てられた行先階を示すよう、エレベータロビーに配置される。エレベータカー内に設置されて乗客に情報を示す階数ディスプレイ２、３は、エレベータカーの上部に配置されている。さらに、エレベータカー内に設置された上記階数ディスプレイ２、３は、２画面式ディスプレイであり、これは、エレベータドアが開いている時に、乗場にいる乗客に対しては、乗客の出発階のエレベータロビーに設置された階数ディスプレイ１に表示されるのと同じ行先階情報を表示する。階数ディスプレイ３によれば、エレベータカー内の乗客に対しては、図1bに示すように、エレベータカー呼び情報が示される。
【００１６】
以上、本発明を添付図面を参照して実施例により説明したが、本発明の様々な他の実施例が特許請求の範囲に記載された発明思想の範囲内で可能である。
【図面の簡単な説明】
【００１７】
【図１ａ】乗客の出発階に設置した本発明による階数ディスプレイを示す図である。
【図１ｂ】エレベータカー内に設置した本発明による階数ディスプレイを示す図である。
【図２】エレベータロビーおよびエレベータカー内における本発明による階数ディスプレイの配置図である。
【図１ａ】
2005500227.tif 000003
【図１ｂ】
2005500227.tif 000004
【図２】
2005500227.tif 000005
【国際公開パンフレット】
2005500227.tif 000006
2005500227.tif 000007
2005500227.tif 000008
2005500227.tif 000009
2005500227.tif 000010
2005500227.tif 000011
2005500227.tif 000012
2005500227.tif 000013
2005500227.tif 000014
2005500227.tif 000015
【国際調査報告】
2005500227.tif 000016
2005500227.tif 000017
2005500227.tif 000018